(57)【要約】      （修正有）【課題】装飾性が高く、温もりが感じられるとともに、用途に応じた形状及びサイズへの対応が容易であって、廃材の有効利用にも寄与する木製身の回り品を提供する。【解決手段】木製身の回り品１０は、底板１１と、底板１１の周縁から立設された周壁１２とによって内部に収容部１３が形成される木製の基材１４と、収容部１３内に収装される金属板１５と、収容部１３を覆って貼設される木製の蓋体１６と、を含んで成り、蓋体１６の上面側に所定形状の凹部１７が形成され、凹部１７に、凹部１７と同形状の象嵌板１８が嵌着されている。【選択図】図１
0003231109.tif 000002
【実用新案登録請求の範囲】
【請求項１】
底板と、該底板の周縁から立設された周壁とによって内部に収容部が形成される基材と、
前記収容部内に収装される金属板と、
前記収容部を覆って貼設される蓋体と、
を含んで成り、
前記蓋体の上面側に所定形状の凹部が形成され、
前記凹部に、該凹部と同形状の象嵌板が嵌着されていることを特徴とする木製身の回り品。
【請求項２】
前記金属板が磁石であることを特徴とする請求項１に記載の木製身の回り品。
【請求項３】
前記周壁及び前記蓋体の側周面に、周方向に対して直交方向に複数の細かい溝が形成されていることを特徴とする請求項１又は請求項２に記載の木製身の回り品。
【考案の詳細な説明】
【技術分野】
【０００１】
本考案は、木製の身の回り品であって、特に、ゴルフボールマーカーや掲示用マグネット、ペーパーウェイト等として好適な木製身の回り品に関する。
【背景技術】
【０００２】
従来から、種々のゴルフボールマーカーや、ゴルフボールマーカーとしても利用可能な身の回り品が開示されている（例えば、特許文献１ないし特許文献３参照。）。特許文献１に開示されたマーカーは、金属製のマーカー本体と、前記マーカー本体の、マーカーホルダー表面と対向する裏面に埋設された磁性体とを備え、前記マーカー本体周縁の裏側コーナー部に丸みを持たせ、前記マーカー本体の表面は漆芸装飾部を有することを特徴とする。この特許文献１に開示されたマーカーによると、磁石の紛失防止に十分な吸着力の基にマーカーホルダーの表面に傷を付ける恐れが少ないマーカーを提供できる旨、記載されている。
【０００３】
また、特許文献２に開示されたゴルフボールマーカーは、マーカー本体の裏面に永久磁石が埋設され、前記マーカー本体の表面にラインストーンの装飾部を設けたことを特徴とする。この特許文献２に開示されたゴルフボールマーカーによると、グリーン面上に載置した際に、ラインストーンの装飾部が太陽光線等によって輝き、容易にゴルフボールマーカーを視認可能で見つけ出し易く、また、ゴルフプレーヤーの帽子に取り付けた止具、時計バンド、ブローチなどに取り付けて装飾品として使用することができる旨、記載されている。
【０００４】
更に、特許文献３に開示された身の回り品は、身体若しくはその着用品に保持される基材と、この基材に対して着脱可能に取り付けられる分離部材とを備え、上記基材は、少なくとも基材の表面側に設けられた表面部と、身体若しくはその着用品に対する取付手段と、表面部よりも裏面側に配位された永久磁石とを備え、上記分離部材は、上記永久磁石に磁着する磁性体を備え、且つ、上記分離部材の表面側に装飾部を備え、上記表面部を介して上記永久磁石に上記分離部材を磁着させ、上記基材の表面部に上記分離部材を着脱可能に取り付けたことを特徴とする。この特許文献３に開示された身の回り品によると、身の回り品としての装飾性を害することなく、分離部材を基材に磁着させることができ、特に、表面部を介して上記永久磁石に上記分離部材を磁着させるものであるため、取り外しされる分離部材は、鉄などの強磁性体を用いるだけでよく、磁石を用いる必要はないため、砂鉄などのゴミが分離部材に付着することがない旨、記載されている。
【先行技術文献】
【特許文献】
【０００５】
【特許文献１】実用新案登録第３１６６４６４号
【特許文献２】実用新案登録第３１８２７５７号
【特許文献３】実用新案登録第３１６５７２８号
【考案の概要】
【考案が解決しようとする課題】
【０００６】
特許文献１や特許文献２に開示された（ゴルフボール）マーカーによると、装飾性に優れた（ゴルフボール）マーカーを提供することができるものと思料する。また、特許文献３に開示された身の回り品によると、身の回り品としての装飾性を害することなく、分離部材をゴルフボールマーカーとしても利用した場合、砂鉄などのゴミが分離部材に付着することがないものと思料する。
【０００７】
しかし、これらの特許文献に開示されたマーカーや身の回り品は、いずれも磁石や金属部分が露出しているため、マーカーとして使用しているうちに、金属部分の塗装が剥げたり、砂鉄などのゴミが磁石に付着したりする問題があり、より装飾性が高く、温もりの感じられるようなゴルフボールマーカーや、単なるゴルフボールマーカーに限定されず、掲示用マグネットやペーパーウェイト等としても好適な身の回り品が求められていた。
【０００８】
そこで本願考案者は、上記の問題点に鑑み、装飾性が高く、温もりが感じられるとともに、用途に応じた形状及びサイズへの対応が容易であって、廃材の有効利用にも寄与する木製身の回り品を提供するべく鋭意検討を重ねた結果、本考案に至ったのである。
【課題を解決するための手段】
【０００９】
即ち、本考案の木製身の回り品は、底板と、該底板の周縁から立設された周壁とによって内部に収容部が形成される基材と、前記収容部内に収装される金属板と、前記収容部を覆って貼設される蓋体と、を含んで成り、前記蓋体の上面側に所定形状の凹部が形成され、前記凹部に、該凹部と同形状の象嵌板が嵌着されていることを特徴とする。
【００１０】
また、本考案の木製身の回り品において、前記金属板が磁石であることを特徴とする。
【００１１】
更に、本考案の木製身の回り品において、前記周壁及び前記蓋体の側周面に、周方向に対して直交方向に複数の細かい溝が形成されていることを特徴とする。
【考案の効果】
【００１２】
本考案によると、象嵌板によって装飾性が非常に高く、また木製とすることによって温もりが感じられるとともに、ゴルフボールマーカーやペーパーウェイト等、用途に応じた形状及びサイズへの対応も容易であって、廃材の有効利用にも寄与する木製身の回り品を提供することができる。
【００１３】
また、本考案の木製身の回り品において、金属板を磁石とすることによって、ゴルフボールマーカーとしてはもちろん、装飾性の高い掲示用マグネットとしても利用することができる。特に、本考案の木製身の回り品に係る金属板である磁石が収容部に収装され、外部には露出していないため、本考案の木製身の回り品を磁力によって金属製掲示板等に貼り付ける際、掲示板表面を傷つけることがなく、砂鉄等のゴミの発生を抑制できる。
【００１４】
更に、本考案の木製身の回り品に係る周壁及び蓋体の側周面に、周方向に対して直交方向に複数の細かい溝を形成することによって、基材と蓋体との継ぎ目を目立たなくすることができるため、装飾性の更なる向上を図ることができる。
【図面の簡単な説明】
【００１５】
【図１】本考案の一実施形態に係る木製身の回り品を示す図であって、（ａ）は斜視図、（ｂ）は（ａ）におけるＡ−Ａ断面図である。
【図２】図１に示した木製身の回り品の分解斜視図である。
【図３】本考案の他の実施形態に係る木製身の回り品を示す図であって、（ａ）は正面図、（ｂ）は平面図である。
【考案を実施するための形態】
【００１６】
以下、本考案の木製身の回り品の一実施形態について、図面に基づいて説明する。図１（ａ）は、本考案の一実施形態に係る木製身の回り品１０の斜視図、同図（ｂ）は、同図（ａ）に示した本実施形態の木製身の回り品１０におけるＡ−Ａ断面図、図２は、図１に示した本実施形態の木製身の回り品１０の分解斜視図である。これらの図に示すように、本考案の一実施形態に係る木製身の回り品１０は、底板１１と、底板１１の周縁から立設された周壁１２とによって内部に収容部１３が形成される基材１４と、収容部１３内に収装される金属板１５と、収容部１３を覆って貼設される蓋体１６と、を含んで成る。
【００１７】
本実施形態の木製身の回り品１０に係る基材１４及び蓋体１６は平面視が円形状をなす木製である。木材の種類は限定されず、桧や杉等の間伐材や端材を適用することによって、廃材の有効利用を図ることができる。また、平面視の外形状も図示した円形に限定されず、楕円形状や多角形状等、用途やデザインに応じて任意に形成することができる。
【００１８】
本実施形態の木製身の回り品１０に係る基材１４には、底板１１と、底板１１の周縁から立設された周壁１２とによって、内部に収容部１３が形成され、この収容部１３に金属板１５が収装される。本実施形態の木製身の回り品１０は木製であるため、サイズが小さければ小さいほど軽量となり、例えば本実施形態の木製身の回り品１０をゴルフボールマーカーとして使用する場合、あまりに軽量であると容易に動いてしまうおそれがある。そこで、収容部１３に金属板１５を収装することによって、本実施形態の木製身の回り品１０に、ある程度の重さを付与することができ、ゴルフボールマーカーとして使用する場合、容易に動くことを防止でき、ペーパーウェイト等としても利用することができる。
【００１９】
ここで、収容部１３に収装される金属板１５の材質は特に限定されず、鉄やアルミ等、何れであってもよいが、特に金属板１５を磁石とすることによって、本実施形態の木製身の回り品１０を掲示用マグネットとしても利用することができる。本実施形態の木製身の回り品１０では、金属板１５である磁石が収容部１３に収装され、外部には露出していないため、本実施形態の木製身の回り品１０を磁力によって金属製掲示板等に貼り付ける際、掲示板表面を傷つけることがなく、砂鉄等のゴミの発生を抑制できる。
【００２０】
そして、本実施形態の木製身の回り品１０に係る木製の蓋体１６において、この蓋体１６の上面側には、凹部１７が形成されている。図１及び図２に示した凹部１７の平面視形状は円形であるが、凹部１７の平面視の外形状も特に限定されず、円形の他、楕円形や多角形等、何れであってもよく、更には所定のマークや文字等の外形状をなす凹部１７を形成することもできる。
【００２１】
以上のような所定形状に形成された凹部１７に、この凹部１７と同形状の象嵌板１８が嵌着されることによって、本実施形態の木製身の回り品１０が得られる。象嵌板１８の材質については特に限定されず、木製の他、金属製やセラミック製等であってもよい。木製の象嵌板１８であれば、素材の統一感が得られるとともに、木特有の温もりが感じられる木製身の回り品１０を提供することができる。一方、金属製やセラミック製の象嵌板１８を適用することによって、装飾性を一層高めることができる。
【００２２】
以上の構成を備える本実施形態の木製身の回り品１０によると、象嵌板１８によって装飾性が非常に高く、少なくとも基材１４及び蓋体１６を木製とすることによって木特有の温もりが感じられるとともに、用途に応じた形状及びサイズへの対応も容易であって、間伐材や端材等の廃材の有効利用にも寄与する身の回り品を提供することができる。
【００２３】
また、本実施形態の木製身の回り品１０に係る金属板１５を磁石とすることによって、木製身の回り品１０にある程度の重さを付与することができるとともに、掲示板表面を傷つけることがなく、砂鉄等のゴミの発生を抑制できる掲示用マグネットやマグネットタイプのゴルフボールマーカーを提供することができる。
【００２４】
以上、本考案の一実施形態に係る木製身の回り品１０について詳述したが、本考案の木製身の回り品は、当該実施形態に限定されるものではない。本考案の木製身の回り品の他の実施形態として、図３に示した実施形態に係る木製身の回り品１０ａは、基本的な構成は上述した実施形態に係る木製身の回り品１０と同様であって、底板１１と、底板１１の周縁から立設された周壁１２とによって内部に収容部１３が形成される基材１４と、収容部１３内に収装される金属板１５と、収容部１３を覆って貼設される蓋体１６と、を含んで成る。
【００２５】
また、本実施形態の木製身の回り品１０ａに係る木製の蓋体１６の上面側にも所定形状の凹部１７が形成され、この凹部１７に、凹部１７と同形状の象嵌板１８が嵌着されている。
【００２６】
そして、本実施形態の木製身の回り品１０ａにおいては、基材１４に係る周壁１２及び蓋体１６の側周面に、周方向に対して直交方向に複数の細かい溝１９が形成されていることを特徴とする。周壁１２及び蓋体１６の側周面に複数の細かい溝１９（縦溝）を形成することによって、基材１４と蓋体１６との継ぎ目を目立たなくすることができる。従って、本実施形態の木製身の回り品１０ａは、上記の実施形態に係る木製身の回り品１０に比べて、装飾性の更なる向上を図ることができる。
【００２７】
以上、本考案の木製身の回り品の実施形態について詳述したが、本考案の技術的思想を実質的に限定するものと解してはならない。例えば、本考案の木製身の回り品に係る基材や蓋体、象嵌板には別途、着色が施されてもよく、また、象嵌板による装飾とともに模様が描かれてもよい。本考案はその要旨を逸脱しない範囲で、当業者の創意と工夫により、適宜に改良、変更又は追加をしながら実施できる。
【符号の説明】
【００２８】
１０，１０ａ：木製身の回り品
１１：底板
１２：周壁
１３：収容部
１４：基材
１５：金属板
１６：蓋体
１７：凹部
１８：象嵌板
１９：溝
【図１】
0003231109.tif 000003
【図２】
0003231109.tif 000004
【図３】
0003231109.tif 000005
【手続補正書】
【提出日】令和3年1月5日(2021.1.5)
【手続補正１】
【補正対象書類名】実用新案登録請求の範囲
【補正対象項目名】全文
【補正方法】変更
【補正の内容】
【実用新案登録請求の範囲】
【請求項１】
底板と、該底板の周縁から立設された周壁とによって内部に収容部が形成される木製の基材と、
前記収容部内に収装される金属板と、
前記収容部を覆って貼設される木製の蓋体と、
を含んで成り、
前記木製の蓋体の上面側に所定形状の凹部が形成され、
前記凹部に、該凹部と同形状の象嵌板が嵌着されていることを特徴とする木製身の回り品。
【請求項２】
前記金属板が磁石であることを特徴とする請求項１に記載の木製身の回り品。
【請求項３】
前記周壁及び前記木製の蓋体の側周面に、周方向に対して直交方向に複数の細かい溝が形成されていることを特徴とする請求項１又は請求項２に記載の木製身の回り品。